(57)【要約】    【課題】  小形化が可能であるとともに十分な防爆効果を有するとともに製造の容易な高圧放電ランプを提供する。    【解決手段】  高圧放電ランプは、透光性セラミックスからなる透光性気密容器１、透光性気密容器の内部に封装された一対の電極２、２、透光性気密容器を気密に貫通して内端が電極に接続し外端が透光性気密容器の外部に導出された一対の電流導入導体３、３および透光性気密容器の内部に封入された放電媒体を備えた発光管ＬＴと、内部の所定位置に発光管を支持しているとともに内部が真空または不活性ガス雰囲気に保持された外管ＯＴと、外管の外周に巻装された補強線条ＲＬと、外管および補強線条の外側に配設された保護ガラス管ＰＴとを具備している。【選択図】図２
2009140703.tif 000002
【特許請求の範囲】
【請求項１】
透光性セラミックスからなる透光性気密容器、透光性気密容器の内部に封装された一対の電極、透光性気密容器を気密に貫通して内端が電極に接続し外端が透光性気密容器の外部に導出された一対の電流導入導体および透光性気密容器の内部に封入された放電媒体を備えた発光管と；
内部の所定位置に発光管を支持しているとともに内部が真空または不活性ガス雰囲気に保持された外管と；
外管の外周に巻装された補強線条と；
外管および補強線条の外側に配設された保護ガラス管と；
を具備していることを特徴とする高圧放電ランプ。
【請求項２】
照明器具本体と；
照明器具本体に配設された請求項１記載の高圧放電ランプと；
高圧放電ランプを点灯する高圧放電ランプ点灯装置と；
を具備していることを特徴とする照明器具。
【発明の詳細な説明】
【技術分野】
【０００１】
本発明は、防爆手段を具備した高圧放電ランプの改良およびこれを用いた照明器具に関する。
【背景技術】
【０００２】
外管内に封装された発光管の周囲にガラス製の保護管を配設し、かつ保護管の外周に金属ワイヤからなる補強線条を巻装してなる防爆手段を具備した高圧放電ランプは既知である（例えば、特許文献１参照。）。
【０００３】
また、発光管をセラミックスで製作した高圧放電ランプでは、高効率、高演色を実現することができ、通常の使用状態で発光管が破裂することは殆どないが、安定器の短絡などで異常な過大入力時などで破裂するときには、非常に大きな破壊エネルギーが生じることから、発光部の全長に対する最大外径の比を所定範囲にするとともに、発光管を包囲する円筒状の透光性スリーブの外表面近傍において発光中心付近にのみ金属線を設けた構造も知られている（特許文献２参照。）。
【０００４】
一方、発光管を内蔵し基端部が口金に固定された内管を包囲する外管を具備した３重管形の高圧放電ランプは既知である（特許文献３参照）。この高圧放電ランプは、内管の基端部にピンチシール部が形成されていて、発光管が内管の内部に気密に収納されている。外管は、有底筒状をなし、基端が開口していて、外気に連通している。
【０００５】
【特許文献１】特開平０５−３１４９５０号公報
【特許文献２】特開２００６−２２８５８２号公報
【特許文献３】特開２００６−３３１６６３号公報
【発明の開示】
【発明が解決しようとする課題】
【０００６】
発光管の周囲に円筒状の保護管および金属線などの補強線条を配設する場合、保護管の周囲に補強線条を巻装してから発光管とともに支持枠に装着してマウントを組み立て、次にマウントを外管内に挿入して排気して封止する。このため、外管径が大きくなり、例えば定格７０Ｗ以下のような小形の高圧放電ランプに採用することが困難である。また、保護管の外周に補強線を巻装する際の作業を慎重に行う必要がある。
【０００７】
一方、この種の高圧放電ランプでは、発光管の温度を所要に保持するために、外管の内部を排気して真空にしているのが一般的である。また、セラミックスの発光管を備えた高圧放電ランプは、高効率高演色を実現することができるので、広く採用されるようになっている。セラミックスの発光管を製作する場合、入手が容易な透光性アルミナセラミックスを用いるのが一般的である。この場合、電流導入導体の発光管の封止部に対向する部位には、熱膨張係数がアルミナセラミックスのそれに近い値を有するニオブを用いるのが一般的である。ニオブなどの酸化性金属を用いた電流導入導体が外管内で酸化しないようにするには、点灯に先立ち外管内に配設したゲッターを加熱して蒸発させることで、外管内の不純物を十分に吸着して除去できればよいが、なお水分などの不純物が残留していると、働程中に不純物が徐々に外管内に放出されて酸化性金属が酸化されてしまう。このため、外管内に露出する酸化性金属の酸化を十分に抑止するためには、外管内に挿入される部材になるべく不純物が付着しないように十分な注意を払う必要がある。
【０００８】
本発明は、小形化が可能であるとともに十分な防爆効果を有するとともに製造の容易な高圧放電ランプおよびこれを用いた照明器具を提供することを目的とする。
【課題を解決するための手段】
【０００９】
本発明の高圧放電ランプは、透光性セラミックスからなる透光性気密容器、透光性気密容器の内部に封装された一対の電極、透光性気密容器を気密に貫通して内端が電極に接続し外端が透光性気密容器の外部に導出された一対の電流導入導体および透光性気密容器の内部に封入された放電媒体を備えた発光管と；内部の所定位置に発光管を支持しているとともに内部が真空または不活性ガス雰囲気に保持された外管と；外管の外周に巻装された補強線条と；外管および補強線条の外側に配設された保護ガラス管と；を具備していることを特徴としている。
【００１０】
本発明は、以下の態様を許容する。
【００１１】
〔発光管について〕    発光管は、透光性気密容器、一対の電極、一対の電流導入導体および放電媒体を備えて構成されている。
【００１２】
（透光性気密容器について）    透光性気密容器は、透光性セラミックスからなり、包囲部および一対の封止部を備えている。包囲部は、膨出していて、その内部に放電空間が形成される。なお、透光性であるとは、放電により発生した放射のうち、所望波長域の発光成分を少なくとも所望の部位から外部へ透過させることができればよいことを意味する。また、透光度は、高圧放電ランプの正常な作動状態において、透光性気密容器として問題なく機能する程度であればよい。
【００１３】
封止部は、包囲部の両端に連設されていて、後述するように電極を支持するととともに、透光性気密容器を封止する。封止部は、小径筒部により形成することができる。封止部において透光性気密容器を封止する手段は、本発明において特段限定されない。例えば、フリットガラスと称されるセラミックス封止用コンパウンドを加熱溶融して小径筒部とその内部に挿通された電流導入導体との間の隙間内に進入させ、固化させて封止する手段や封止部のセラミックスを加熱溶融してこれを直接的に電流導入導体に融着させる手段などを採用することができる。
【００１４】
封止部が小径筒部からなる場合、その内部に挿通する電極および／または電流導入導体と小径筒部の内面との間にわずかな隙間を形成することができる。したがって、小径筒部の長さを適切な値に設定することにより、点灯中にわずかな隙間の内部に液相のハロゲン化物が滞留して、いわゆるキャピラリーとして作用して透光性気密容器の最冷部を形成したり、封止部の温度を所定温度に維持させたりすることができる。なお、本発明においては、封止部を備えているものの、封止部がキャピラリーを形成することを必須要件とするものではない。
【００１５】
透光性気密容器が透光性セラミックスにより形成される場合、例えばサファイヤなどの単結晶の金属酸化物、多結晶の金属酸化物、例えば透光性多結晶アルミナセラミックス、イットリウム−アルミニウム−ガーネット（ＹＡＧ）、イットリウム酸化物（ＹＯＸ）、多結晶非酸化物、例えばアルミニウム窒化物（ＡｌＮ）などを用いることができる。
【００１６】
透光性気密容器の内容積すなわち放電空間の体積は、高圧放電ランプの定格ランプ電力の大きさに応じて多様な値に設定することができるが、定格ランプ電力が一般的に７０Ｗ以下、好ましくは５０Ｗ以下の高圧放電ランプでは、おおよそ０．１ｃｃ以下である。また、放電空間の形状も円筒状、球状、楕円球状など多様であることを許容する。
【００１７】
（一対の電極について）    一対の電極は、透光性気密容器に封装されて先端が互いに離間して包囲部内の放電空間に臨んでいる。電極構成材料としては、タングステン（Ｗ）、ドープドタングステン、トリウム入りタングステン、レニウム（Ｒｅ）、レニウム−タングステン合金（Ｒｅ−Ｗ）またはモリブデン（Ｍｏ）などの耐火性金属を用いることができる。また、電極は、細長い電極軸部および電極軸部の先端部に配設される電極主部から構成することができる。この場合、電極主部は、電極軸の先端に配設されて電極作用を呈する部分であり、電極の先端部を構成する。また、電極主部は、所望によりその表面積を大きくして放熱を良好にするために、必要に応じて例えばタングステンのコイルを巻装したりすることができる。
【００１８】
（一対の電流導入導体について）    一対の電流導入導体は、一対の電極を支持し、かつ電極に電流を供給するための手段であり、封止部を気密に貫通して透光性気密容器の内部へ導入され、先端が電極の基端に直接または間接に接続し、基端が封止部から外部へ露出する。また、電流導入導体は、封止部と協働して透光性気密容器を封止するように機能することができる。電流導入導体としては、透光性気密容器の材質に応じて熱膨張係数が接近した導電性物質、例えば透光性アルミナセラミックス製の場合、ニオブ（Ｎｂ）またはタンタル（Ｔａ）もしくはモリブデン、ニオブ、タンタルおよびタングステンなどのグループから選択された高融点金属とセラミックスとからなるサーメットなどを電流導入導体の封着部に用いるのが好適である。なお、電流導入導体先端の電極接続部にはモリブデンまたはモリブデンとセラミックスのサーメットなどを光放射が生起する媒体、例えば金属ハロゲン化物および始動ガスを含んで構成される。また、好適にはさらにランプ電圧形成物質を含むことができる。
【００１９】
金属ハロゲン化物は、既知の金属ハロゲン化物、例えばナトリウム（Ｎａ）、スカンジウム（Ｓｃ）および希土類金属などから選択された発光金属のハロゲン化物を用いることができる。希土類金属としては、ツリウム（Ｔｍ）、ホルミウム（Ｈｏ）などの発光金属のハロゲン化物が好適である。なお、ハロゲンとしては、ヨウ素または臭素を用いることができる。
【００２０】
始動ガスは、少なくとも高圧放電ランプを始動させるときに放電を開始させるのに寄与する。しかし、具体的なガスの種類は限定されない。一般照明用の高圧放電ランプの場合、好適にはネオン（Ｎｅ）およびアルゴン（Ａｒ）の混合ガスである。始動ガスの封入圧は、一般的には８〜８０ｋＰａである。８ｋＰａ未満では、パッシェン曲線から理解できるように始動が困難になる。また、８０ｋＰａを超えると始動電圧が高くなるので、口金の耐圧を超えるので、口金を配設する場合には希ガスの封入圧に注意を要する。
【００２１】
ランプ電圧形成物質は、主として緩衝体として点灯中に一対の電極間に現れる電圧を形成するのに主体的に寄与する放電媒体であり、水銀および／または金属ハロゲン化物を用いることができる。ランプ電圧形成物質としての金属ハロゲン化物には、蒸気圧の比較的高い金属例えば亜鉛などのハロゲン化物などを用いることができる。
【００２２】
〔外管について〕    外管は、その内部の所定位置に発光管を支持していて、内部が真空または不活性ガス雰囲気に保持され、気密に封止されている。また、外管は、点灯中高温になるので、石英ガラスを用いて形成されているのが好ましい。
【００２３】
発光管を外管内の所定位置に支持するには、発光管から導出された一対の電流導入導体を延長するか、またはモリブデンなどの金属線からなり、電流導入導体に接続した内部導入線を利用するのが好ましい。すなわち、電流導入導体や内部導入線を外管内に固定することにより、発光管を外管内の所定値に支持する。内部導入線を外管内に固定するには、封着金属箔に予め内部導入線を溶接しておき、外管を例えばピンチシールなどの手段により封止して封着金属箔が封止部の内部に気密に埋設されればよい。なお、この封止の際に内部導入線の基部は封止部に緩く支持される。その結果、発光管は外管内の所定位置に支持される。
【００２４】
外管は、片封止および両封止のいずれであってもよい。片封止の場合、発光管から延在する一対の内部導入線のうち、一方の内部導入線が発光管に沿って折り返されて、一対の内部導入線が外管の一端に形成される封止部側へ導かれている。両封止の場合、発光管から延在する一対の内部導入線がそれぞれ反対側へ延在して、外管の両端に形成される一対の封止部側へ別れて導かれている。また、外管が石英ガラスからなる場合、内部にモリブデン箔などの封着金属箔を気密に埋設したピンチシールにより封止部を形成することができる。
【００２５】
また、所望により外管の内部にはゲッター、始動補助手段などを配設することができる。始動補助手段としては、例えば紫外線発生源、高電圧パルス発生器または近接導体などであることを許容する。
【００２６】
〔補強線条について〕    補強線条は、外管の外周に巻装されて、防爆効果を補強する。補強線条としては、金属ワイヤまたは金属酸化物繊維の細紐などを用いることができる。金属ワイヤとしては耐酸化性の金属、例えばステンレス、タンタル（Ｔａ）およびニッケル（Ｎｉ）などにより製作したワイヤなどを用いることができる。温度、雰囲気により酸化しない条件を満たす場合には耐酸化性金属以外の材料も用いることができる。また、金属酸化物繊維の細紐としては、例えばアルミナやシリカの繊維を用いて製作した細紐を用いることができる。補強線条の線径は、所要の機械強度が得られる範囲内で小さい方が補強線条による遮光が低減するので好ましく、一般的には１ｍｍ未満、好ましくは金属ワイヤで０．１〜０．３ｍｍ程度、金属酸化物繊維の細紐では０．２〜０．５ｍｍ程度である。
【００２７】
補強線条の巻装の態様は、本発明において特段限定されない。例えば、１方向または交差方向のコイル巻などであることを許容する。また、外管の補強線条を巻装する範囲は、主として発光管の発光部となる包囲部に対向する領域であればよい。
【００２８】
〔保護ガラス管について〕    保護ガラス管は、発光管および外管の破損時にその破片の飛散を防止するとともに素手での取り扱いを可能にする手段であり、本発明においては外管および補強線条の外側にこれらの少なくとも主要部を包囲して配設される。なお、保護ガラス管の内部は、外気に連通するように構成されていることを許容する。
【００２９】
また、保護ガラス管は、耐熱ガラスにより形成されるのが好ましく、例えばパイレックス（登録商標）などの硬質ガラス、結晶化ガラスなどにより形成することができる。
【００３０】
さらに、保護ガラス管は、高圧放電ランプが片口金形であるか両口金形であるかに対応して一端開放構造および両端開放構造のいずれであってもよい。すなわち、高圧放電ランプが片口金形であれば一端開放構造とし、両口金形であれば両端開放構造とするのがよい。
【００３１】
さらにまた、保護ガラス管は、その内部に収納される外管との間が、少なくともそれらの間に補強線条が介在し得る程度に離間しているが、その余の形状および構造は問わない。例えば、Ｔ形、ＢＴ形、Ｒ形、円筒形など各種形状の管を所望に応じて適宜選択して採用することがきる。
【００３２】
〔その他の構成について〕    本発明においては、以上の構成要素の他に以下の構成要素を所望に応じて適宜付加することができる。
【００３３】
１．（口金について）    口金は、高圧放電ランプを照明器具などの照明装置に装着する際に給電および機械的保持のために用いられ、片口金および両口金のいずれかが用いられる。いずれの場合においても既知の各種口金構造を所望により選択して採用することができる。
【００３４】
２．（保護ガラス管保持部材について）    保護ガラス管保持部材は、外管を利用して保護ガラス管を保持する手段であり、片口金の場合には保護ガラス管と口金との間の接着が不所望に離脱した際に保護ガラス管を保持して口金から落下するのを阻止し得る手段として機能する。保護ガラス管保持部材は、保護ガラス管および外管の両方に圧接し、保護ガラス管および外管の両方に対して弾性を作用させた状態を作り出すことにより、保護ガラス管が例えば口金から離脱した際に、保護ガラス管を外管が保持して保護ガラス管の不所望な落下を防止する。ただし、保護ガラス管保持部材は、保護ガラス管および外管のいずれか一方に固定または係止されていてもよい。
【００３５】
また、両口金の場合の保護ガラス管保持部材は、この部材によってのみ保護ガラス管を外管に固定する手段として機能させることができる。この場合、保護ガラス管保持部材は、保護ガラス管の両端開口端に一対配設され、外管のピンチシール部などの封止部に係止させるのが好ましい。
【００３６】
上述の記構成を備えた保護ガラス管保持部材であれば、その材質は特段限定されないが、高圧放電ランプの点灯中の高温に耐える程度の耐熱性を有している必要がある。これらの条件を満たす材料としては、例えばステンレス、セラミックス材料などおよび耐熱性プラスチックスなどを適宜選択して用いるのがよい。
【００３７】
また、保護ガラス管保持部材は、高圧放電ランプが保護ガラス管保持部材を具備していることに起因する全光束の低下が最小限となり、かつ配光特性を乱さないように配慮されていることが好ましい。このためには、片口金形の場合、保護ガラス管および外管の頂部側の位置に弾性保持部材を配置するのがよい。また、保護ガラス管を保持する弾性力を維持しながら、外管から外部へ放射される光の進路を遮る保護ガラス管保持部材の面積を最小限にするのがよい。
【００３８】
本発明の照明器具は、照明器具本体と；照明器具本体に配設された請求項１記載の高圧放電ランプと；高圧放電ランプを点灯する高圧放電ランプ点灯装置と；を具備していることを特徴としている。
【００３９】
本発明において、照明器具は、高圧放電ランプを光源とする全ての照明装置を含む概念である。例えば、屋外用および屋内用の各種照明器具、自動車前照灯、画像または映像投射装置、標識灯、信号灯、表示灯、化学反応装置、検査装置などである。
【００４０】
照明器具本体は、照明器具から高圧放電ランプおよび点灯回路を除いた残余の部分をいう。
【００４１】
高圧放電ランプ点灯装置は、照明器具本体に配設されていてもよいし、照明器具本体の近傍または離間した位置に配置されるのであってもよい。また、高圧放電ランプ点灯装置の構成は、どのようなものであってもよい。また、交流点灯および直流点灯のいずれの点灯方式であってもよい。交流点灯の場合、例えばインバータを主体とする電子化点灯回路を構成することができる。所望により、インバータの入力端子間に接続する直流電源に昇圧チョッパまたは降圧チョッパなどの直流−直流間変換回路を付加することができる。直流点灯の場合、例えば上記直流−直流間変換回路を主体とする電子化点灯回路を構成することができる。
【発明の効果】
【００４２】
本発明によれば、透光性セラミックスからなる透光性気密容器を備えた発光管を内部の所定位置に支持し、かつ内部が真空または不活性ガス雰囲気に保持された外管の外周に補強線条を巻装し、外管および補強線条の外側に保護ガラス管を配設していることにより、補強線条の不純物吸着除去処理が不要であるとともに、発光管を収納した外管を封止した後に補強線条を巻装することができるので、製造が容易になり、定格ランプ電力が比較的小さいために小形に構成されていても補強線条の配設が無理なく行えて十分な防爆効果を有する高圧放電ランプおよびこれを用いた照明器具を提供することができる。
【発明を実施するための最良の形態】
【００４３】
以下、図面を参照して本発明を実施するための形態を説明する。
【００４４】
図１ないし図３は、本発明の高圧放電ランプを実施するための第１の形態を示し、図１は高圧放電ランプの正面図、図２は要部断面正面図、図３は発光管および外管組立の正面図、図４は発光管の拡大正面断面図である。
【００４５】
本形態の高圧放電ランプは、定格ランプ電力７０Ｗ用として好適な構造であり、図１に示すように、外管ＯＴ、発光管ＬＴ、外管ＯＴ、補強線条ＲＬ、保護ガラス管ＰＴおよび口金Ｂを具備して構成されている。
【００４６】
発光管ＬＴは、図４に示すように、透光性気密容器１、一対の電極２、２、一対の電流導入導体３、３、一対のシール部材４、４および透光性セラミックス気密容器１の内部に封入された放電媒体を備えている。
【００４７】
透光性気密容器１は、本形態において透光性多結晶アルミナセラミックスからなり、包囲部１ａおよび包囲部１ａの両端に連通して配設された一対の封止部１ｂ、１ｂとしての小径筒部を備え、包囲部１ａの内部に放電空間１ｃが形成されている。そして、包囲部１ａおよび一対の封止部１ｂ、１ｂは、鋳込み成形により一体化されている。
【００４８】
一対の電極２、２は、タングステン棒からなり、先端にコイル部２ａを形成することができて、中間部および基端部が封止部１ｂ、１ｂ内に挿通されていている。そして、電極２の軸部と封止部１ｂの小径筒部の内面との間にキャピラリーと称されるわずかな隙間が形成されている。電極２の先端は、包囲部１ａ内に突出している。
【００４９】
一対の電流導入導体３、３は、図４に示すように、少なくとも封着部がニオブまたはサーメットなどからなる。そして、先端部が封止部１ｂ内に挿入され、電極２の基端に接続して電極２を支持するとともに、の基端が封止部１ｂから外部へ突出している。なお、封着部の先端部にモリブデン部分を接合することができる。
【００５０】
一対のシール部材４、４は、セラミックス封止用コンパウンドからなるフリットガラスにより形成されている。すなわち、フリットガラス粉末の整形品を小径筒部の端面に載置し、これを加熱溶融すると封止部１ｂの内部の隙間に進入するので、電流導入導体３、３の封着部および電極の基端部を包囲した状態になったら、冷却して固化させることにより、シール部４が形成される。シール部４が形成されると、透光性気密容器１が気密に封止される。
【００５１】
放電媒体は、金属ハロゲン化物、始動ガスおよび水銀からなり、透光性気密容器１内に封入されている。なお、金属ハロゲン化物および水銀は、蒸発する分より過剰に封入されている。そして、金属ハロゲン化物の一部が安定点灯時に封止部１ｂ、１ｂ内に形成されるわずかな隙間内に液相状態で滞留する。そして、点灯中下側となる封止体１ｂ内に液相状態で滞留している放電媒体の表層部付近に最冷部が形成される。
【００５２】
金属ハロゲン化物は、発光金属のハロゲン化物からなり、例えば希土類金属、ナトリウム（Ｎａ）およびその他の金属の一種または複数種の金属のハロゲン化物により構成することができる。希土類金属としては、例えばツリウム（Ｔｍ）、ホルミウム（Ｈｏ）を用いることができ、その他の希土類金属のハロゲン化物としてプラセオジム（Ｐｒ）、セリウム（Ｃｅ）およびサマリウム（Ｓｍ）の一種または複数種のハロゲン化物を副成分として封入することもできる。なお、上記希土類金属は、そのいずれも視感度特性曲線のピーク波長付近で無数の輝線スペクトルを有するため、発光効率向上に寄与することができる。また、タリウム（Ｔｌ）または／およびインジウム（Ｉｎ）のハロゲン化物を添加することにより、所望の演色性および／または色温度などを得ることができる。
【００５３】
外管ＯＴは、石英ガラスからなり、発光管ＬＴを内部に気密に収納し、閉鎖された先端部の中央には排気チップオフ部５が形成されている。また、基端部にはピンチシール部６が形成されている。ピンチシール部６には、一対の封着金属箔６ａ、６ａが離間して気密に埋設され、その両端にはそれぞれ一対の内部導入線７ａ、７ｂと外部導入線８ａ、８ｂが溶接されている。なお、ピンチシール部６の両側縁部には一対の突条部６ｂ、６ｂが形成され、それらの間に一段低い平坦部６ｃが形成されている。
【００５４】
一方の内部導入線７ａは、先端部が図３において発光管ＬＴから下方へ突出した電流導入導体３に接続している。他方の内部導入線７ｂは、発光管ＬＴの側方を管軸にほぼ平行に延在し、かつ先端部がほぼ直角に屈曲されて、先端部が図３において発光管ＬＴから上方へ突出した電流導入導体３に接続している。そうして、一対の内部導入線７ａ、７ｂに電流導入導体３、３が接続することで、発光管ＬＴは外管ＯＴ内の中心部に支持されているとともに、一対の電極２、２に対する電流供給を行うことができる。なお、ゲッターＧが内部導入線１２ｃに固定されていて、外管ＯＴ内部を清浄にする。
【００５５】
一対の外部導入線８ａ、８ａは、ピンチシール部６から外部へ導出されていて、後述する口金Ｂに接続する。
【００５６】
〔補強線条ＲＬについて〕    補強線条ＲＬは、例えばステンレスワイヤからなり、外管ＯＴの外周面に配設されている。すなわち、ステンレスワイヤを封止された外管ＯＴの外面にコイル状に巻回することによって形成されている。補強線条ＲＬを配置するのは、発光管ＬＴの包囲部１ａおよび一対の小径筒部１ｂ、１ｂの包囲部１ａ側に隣接する部位に対向する位置とすることができる。
【００５７】
〔保護ガラス管ＰＴについて〕    保護ガラス管ＰＴは、外管ＯＴおよび補強線条ＲＬを同心状に包囲して保護する手段であり、有底筒状をなすＴ形バルブの形態をなしている。また、保護ガラス管ＰＴは、耐熱ガラスのパイレックス(登録商標)により形成されている。そして、その一端は開口し、他端は閉塞されている。
【００５８】
〔口金Ｂについて〕    口金Ｂは、口金基体９、受電部１０、外管固定部（図示しない。）および保護ガラス管固定部を備えている。口金基体９は、ステアタイトの成形体からなり、外管固定部および保護ガラス管固定部を一体的に有しているとともに、受電部１０を支持する。外管固定部は、口金基体９の上部にその中心を挟んで突設した一対の起立片により構成されている。そして、一対の起立片の間に形成された隙間に外管ＯＴのピンチシール部６における表裏一対の扁平面に形成された平坦部６ｃを挿入し、後述するように外部導入線８ａ、８ｂを口金に接続することにより、外管ＯＴが口金Ｂに固定される。
【００５９】
保護ガラス管固定部は、一対の起立片を同心的に包囲するように形成された周壁１１により構成されている。上記一対の起立片と上記周壁１１との間に保護ガラス管ＰＴの基端部が挿入され、図２に示すように無機接着剤１２によって固着される。
【００６０】
受電部１０は、いずれも導電性金属からなる外周にねじ溝を形成した口金シェル１０ａと口金シェル１０ａの下端部に絶縁体を介して固定されたセンターコンタクト１０ｂとからなり、口金基体９の下部に支持されている。口金シェル１０ａおよびセンターコンタクト１０ｂは、外管ＯＴのピンチシール部６から外部へ導出された一対の外部導入線８ａ、８ｂに接続する。
【００６１】
次に、本発明の高圧放電ランプの作用および効果について補足説明をする。すなわち、
（１）発光管ＬＴを外管ＯＴの内部に収納して、外管ＯＴを封止した後に外管ＯＴ外周面の発光管ＬＴの発光部に対向する領域に補強線条ＲＬを巻装することができる。このため、補強線条ＲＬの巻回が容易である。
（２）外管を従来技術におけるガラススリーブとして兼用して発光管が破裂した際の保護動作を行うことができるので、部品点数を少なくできる。
（３）保護ガラス管ＰＴの内部は、外気に連通しているため、補強線条ＲＬおよび外管ＯＴの不純物除去について特段の作業を必要としない。
（４）補強線条ＲＬには直径の小さい線条を用いることができるので、補強線条を備えていない従来技術におけるのと同径の保護ガラス管を用いて本発明の高圧放電ランプを製造することが可能になるため、高圧放電ランプの大型化を回避できる。
【００６２】
図５は、本発明の高圧放電ランプを実施するための第２の形態を示す正面図である。本形態は、高圧放電ランプが両口金構造をなしている。なお、図１ないし図４と同一部分については同一符号を付して説明は省略する。
【００６３】
すなわち、本形態において、外管ＯＴは、両端にピンチシール部６、６が形成されている。そして、発光管ＬＴの一対の電流導入導体３、３は、内部導入線７ａ、７ｂ、一対のピンチシール部６、６に埋設されたそれぞれ封着金属箔６ａおよび外部導入線（図示しない。）を介して外管ＯＴの両端側へ分かれて導出されている。
【００６４】
保護ガラス管ＰＴは、パイレックス(登録商標)からなり、両端が開放された円筒状をなしていて、一対のリング状をなした支持金具１３、１３間に挟持された状態で外管ＯＴに、その一対のピンチシール部６、６を利用して支持されている。さらに詳述すれば、支持金具１３は、ステンレスなどの金属板を全体としてリング状をなすようにリング状部分１３ａが打ち抜いて形成されており、リング状部分１３ａの外周から突出させて、かつほぼ直角に折り曲げて複数個、例えば９０°間隔で４個の保護ガラス管押さえ爪１３ｂを形成するとともに、リング状部分１３ａの内周からリング状部分１３ａと同一面内において突出させ、かつその先端側をほぼ直角に折り曲げて一対のピンチシール部押さえ爪１３ｃを形成している。
【００６５】
保護ガラス管ＰＴは、上記のように一対の支持金具１３、１３間に挟持されて外管ＯＴに支持されるとともに、一対の支持金具１３、１３に形成された空隙を介して、その内部が外気に連通される。
【００６６】
また、一対の口金Ｂ、Ｂが外管ＯＴの一対のピンチシール部６、６の表裏を挟んで装着され、図示を省略している外部導入線が、口金Ｂ内に後退して配設されていて図示されていないコンタクトに接続されている。
【００６７】
そうして、本形態においては、一対の内部導入線７ａ、７ｂ間の沿面距離が大きくなるから、高圧放電ランプの始動時に印加する高電圧パルスの波高値を第１の形態におけるのより高くしても絶縁破壊を生じにくくなる。このため、ランプ電圧形成媒体として水銀を封入しない水銀フリーの高圧放電ランプに好適である。
【図面の簡単な説明】
【００６８】
【図１】本発明の高圧放電ランプを実施するための第１の形態における正面図
【図２】同じく要部断面正面図
【図３】同じく発光管を内部に収納して封止した外管の正面図
【図４】同じく発光管の断面図
【図５】本発明の高圧放電ランプを実施するための第２の形態における正面図同じく弾性保持部材の打抜状態における展開図および正面図
【符号の説明】
【００６９】
１…透光性気密容器、１ａ…包囲部、１ｂ…封止部、１ｃ…放電空間、２…電極、２ａ…コイル部、３…電流導入導体、４…シール部材、５…排気チップオフ部、６…ピンチシール部、６ａ…封着金属箔、６ｂ…凸条、６ｃ…平坦面、７、７ａ、７ｂ…内部導入線、８、８ａ、８ｂ…外部導入線、９…口金基体、１０…受電部、１０ａ…口金シェル、１０ｂ…センターコンタクト、１１…周壁、１２…無機接着剤、１３…支持金具、１３ａ…リング状部分、１３ｂ…保護ガラス管押さえ爪、１３ｃ…ピンチシール部押さえ爪、Ｂ…口金、Ｇ…ゲッター、ＬＴ…発光管、ＯＴ…外管、ＰＴ…保護ガラス管、ＲＬ…補強線条
【図１】
2009140703.tif 000003
【図２】
2009140703.tif 000004
【図３】
2009140703.tif 000005
【図４】
2009140703.tif 000006
【図５】
2009140703.tif 000007